(57)【要約】【課題】箱型土嚢を用いて屋根のある構造物を作る技術を提供する。【解決手段】構造物構築用セットは、いずれも箱型土嚢である多数の壁用土嚢１００及び屋根用土嚢３００と、屋根材２００とを備えている。まず、壁用土嚢１００を用いて開口のある壁体を作る。その上に、板である屋根材を載せる。そして、その上に屋根用土嚢３００を載せる。【選択図】図１０
2018031257.tif 000002
【特許請求の範囲】
【請求項１】
その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、開口のある室内空間を囲む壁体を作ることのできるようになっている箱型土嚢である、多数の壁用土嚢と、
前記壁用土嚢で作られた室内空間の上部を覆うべく、前記壁体の上に渡される板である屋根材と、
その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、前記屋根材の上を覆う屋根体を作ることのできるようになっている箱型土嚢である、多数の屋根用土嚢と、
を備えてなり、
前記屋根用土嚢は、それらの組合せにより前記屋根材の上面のすべてを覆うことが可能とされている、
構造物構築用セット。
【請求項２】
前記屋根用土嚢は、前記壁用土嚢よりもその高さが低くなっている、
請求項１記載の構造物構築用セット。
【請求項３】
前記壁体に含まれる壁用土嚢を上下に貫き、その先端が地盤に打ち込まれる杭を備えている、
請求項１記載の構造物構築用セット。
【請求項４】
前記壁用土嚢は、複数段積重ねられるものとされているとともに、
前記杭は、重ねられた前記壁用土嚢を上下に貫き、且つその先端が地盤に打ち込まれるものとされている、
請求項３記載の構造物構築用セット。
【請求項５】
前記杭は、その上端が、前記壁体の上端と面一にされるようになっている、
請求項３又は４記載の構造物構築用セット。
【請求項６】
その左右の縁で、隣り合うものに対して回転可能に接続された、少なくとも４枚の側壁を備えており、平面視したときに矩形である内容物充填用の内部空間を作ることができるようになっている箱型土嚢である多数の壁用土嚢を適宜配列させ、前記内部空間に内容物を充填することで、開口のある室内空間を囲む壁体を作る過程、
前記壁用土嚢で作られた室内空間の上部を、前記壁体の上に渡される板である屋根材で覆う過程、
その左右の縁で、隣り合うものに対して回転可能に接続された、少なくとも４枚の側壁を備えており、平面視したときに矩形である内容物充填用の内部空間を作ることができるようになっている、壁用土嚢よりも高さの低い箱型土嚢である多数の屋根用土嚢を適宜配列させ、前記内部空間に内容物を充填することで、前記屋根材の上を覆う屋根体を作る過程、
を含んでおり、
前記屋根体を作る過程では、前記屋根用土嚢の組合せにより前記屋根材の上面のすべてを覆う、
構造物の構築方法。
【発明の詳細な説明】
【技術分野】
【０００１】
本発明は、箱型土嚢を用いて構造物を構築する技術に関する。
【背景技術】
【０００２】
簡易的な構造物を構築するのに箱型土嚢が用いられることがある。例えば、戦地において即時に仮設の建築物や、防御壁を作らなければならない場合などに、箱型土嚢が用いられている。
【０００３】
箱型土嚢は通常、３枚以上の側壁を備えている。箱型土嚢は一般に、その上面と下面が開放されており、そしてその側壁で囲まれた空間に内容物を充填して、簡易的な壁として機能させられるようになっている。内容物は一般に、現地調達可能なものであり、例えば、土砂、砕石、岩、礫、コンクリート、或いはこれらの混合物、又はこれらを袋に詰めたものである。それにより、箱型土嚢は、小銃弾・ロケット弾等の直射火力  又は砲弾等の曲射火力に対して防護することができ、仮設ではあるが十分な防護壁として機能するものとなる。
【発明の概要】
【発明が解決しようとする課題】
【０００４】
箱型土嚢は、上述のように壁を作るのがその主な機能である。しかしながら、構造物によっては屋根が必要となる場合がある。
しかしながら、その上面と下面が開放されている一般的な箱型土嚢では、屋根を作ることは難しい。また、特に戦地で用いられる構造物においては、上からの攻撃にも耐えることが必要となるから、単なる屋根ではその強度が不足するおそれがある。
【０００５】
本願発明は、箱型土嚢を用いて強度のある屋根を持つ構造物を構築できるようにすることをその課題とする。
【課題を解決するための手段】
【０００６】
上述の課題を解決するため、本願発明者は以下の発明を提案する。
以下の発明は、便利上、第１発明と第２発明の２つに大別される。
第１発明は、その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、開口のある室内空間を囲む壁体を作ることのできるようになっている箱型土嚢である、多数の壁用土嚢と、前記壁用土嚢で作られた室内空間の上部を覆うべく、前記壁体の上に渡される板である屋根材と、その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、前記屋根材の上を覆う屋根体を作ることのできるようになっている箱型土嚢である、多数の屋根用土嚢と、を備えてなる、構造物構築用セットである。
この構造物構築用セットは、平面視矩形となる多数の壁用土嚢を備えており、それを適宜配列し壁用土嚢の中に内容物を充填することによって、壁体を作ることができる。ここまでは従来と変わらない。
また、この構造物構築用セットは、屋根材を備えている。それを、壁用土嚢で作られた壁体の上に渡すことによって屋根を作ることができる。
また、この構造物構築用セットは、平面視矩形となる多数の屋根用土嚢を備えており、それを屋根材の上に適宜配列し屋根用土嚢の中に内容物を充填することによって、屋根材を補強することができる。壁体を構成している壁用土嚢は、従来の箱型土嚢と同様のもので構わないが、従来の箱型土嚢はそれに内容物を充填することによって、銃弾などに耐えうる十分な強度を得られる。同様の構造を持つ屋根用土嚢を屋根材の上に配列することによって、第１発明の構造物構築用セットを用いて作られた構造物は、上下面が開放された壁用土嚢と屋根用土嚢を用いるものではあるが、屋根を持ち、また屋根を持つだけでなく、その屋根の強度が十分なものとなる。
なお、この構造物構築用セットに含まれる壁用土嚢と屋根用土嚢はともに、平面視矩形となりうるものである。双方とも平面視矩形との形状として用いることで、壁用土嚢で作られる壁体の開口は例外として、それらを隙間なく縦横に配置することが可能となる。隙間のなさは、この構造物構築用セットで作られた構造物の中の室内空間にいる人間や、室内空間に置かれた車両などの安全を担保するものである。なお、壁用土嚢と屋根用土嚢は、平面視矩形の形状にすることができれば、平面視で他の形状にすることができても良い。これは第２発明の場合も同様である。
【０００７】
第２発明は、その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、開口のある室内空間を囲む壁体を作ることのできるようになっている箱型土嚢である、多数の壁用土嚢と、前記壁用土嚢で作られた室内空間の内部に、天井のある空間を作るための内部板材と、その左右の縁で、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、前記壁体と、前記内部板材の上を覆う屋根体を作ることのできるようになっている箱型土嚢である、多数の屋根用土嚢と、を備えてなる、構造物構築用セットである。
第２発明の構造物構築用セットは、第１発明の構造物構築用セットと同様に、平面視矩形となる多数の壁用土嚢を備えており、それを適宜配列し壁用土嚢の中に内容物を充填することによって、壁体を作ることができる。
また、この構造物構築用セットは、前記壁用土嚢で作られた室内空間の内部に、天井のある空間を作るための内部板材を備えている。
また、この構造物構築用セットは、平面視矩形となる多数の屋根用土嚢を備えており、それを適宜配列し屋根用土壌の中に内容物を充填することによって、壁体と、内部板材の上を覆う屋根体を作ることができる。
壁体と同様の屋根体を備えることにより、第２発明の構造物構築用セットで作られた構造物も、上下面が開放された壁用土嚢と屋根用土嚢を用いるものではあるが、屋根を持ち、また屋根を持つだけでなく、その屋根の強度が十分なものとなる。
なお、この構造物構築用セットに含まれる壁用土嚢と屋根用土嚢はともに、平面視矩形となりうるものである。これによる利点は、第１発明の場合と同様である。
【０００８】
第１発明と、第２発明で共通するが、前記屋根用土嚢は、前記壁用土嚢よりもその高さが低くなっていてもよい。そうすることにより、屋根用土嚢に内容物を充填した場合に屋根用土嚢が過度に重くなるのを防止できる。
【０００９】
第１発明と、第２発明の構造物構築用セットはともに、前記壁体を上下に貫き、その先端が地盤に打ち込まれる杭を備えていてもよい。そのような杭を用いることにより、壁用土嚢で作られた壁体を地盤に固定することができるようになる。それにより、構造物構築用セットで作られた構造物の剛性等の強度を増すことができるようになる。
前記壁用土嚢は、複数段積重ねられるものとされていてもよい。この場合、前記杭は、重ねられた前記壁用土嚢を上下に貫き、且つその先端が地盤に打ち込まれるものとされていてもよい。これにより、複数段重ねられた壁用土嚢の上の段の壁用土嚢が下の段の壁用土嚢に対してずれることを避けられる。
壁用土嚢が複数段積上げられるか否かによらず、前記杭は、その上端が、前記壁体の上端と面一にされるようになっていてもよい。そうすることで、第１発明の場合であれば、屋根材或いは屋根材とその上に載った屋根用土嚢の重さを杭で受けられるようになり、第２発明の場合であれば、壁体の上の壁用土嚢（の少なくとも杭の上にある一部のもの）の重さを杭で受けられるようになるから、壁体を構成している壁用土嚢に過剰な重さがかかることにより壁体に不具合が生じる可能性を減じることができるようになる。
【００１０】
第２発明における前記内部板材は、前記壁体の開口に対応させることのできる開口を持つコンテナであってもよい。既存の物資を、構造物を作るのに流用できるから便利である。なお、「壁体の開口に対応させることのできる」とは、コンテナの開口と、壁体の開口を、壁体の開口が人、或いは車両等の出入りのため等の本来の目的が達せられる程度に重複させられるという程度の意味であり、両者が完全に重なるという意味ではない。
また、前記内部板材は、その全体が略鞍状の形状であり、その前後の一方側で前記壁体の開口に対応させることのできる開口を形成することができるようになっていてもよい。内部板材は、例えば、ライナープレートにより構成することができる。「壁体の開口に対応させることのできる」の意味は、上述の場合と変わらない。
内部板材が略鞍状の形状である場合、その全体が略鞍状の形状である前記内部板材の上に、前記室内空間と前記内部板材との間を埋める充填物を充填する場合がある。その場合、前記充填物が略鞍状の形状の前記内部板材から滑り落ちようとする力により、前記内部板材の両側にある前記壁体にそれらを互いに広げようとする力が掛かる場合が有りうる。そのような力に抗するために、前記内部板材の両側に位置する壁用土嚢同士を接続するための第１接続部材が存在すると構造物が安定する。第２発明の構造物構築用セットには、そのような第１接続部材が備えられていてもよい。
内部板材が略鞍状の形状である場合であって、充填物を用いる場合には、上述のように、前記内部板材の両側にある前記壁体にそれらを互いに広げようとする力が掛かる場合が有りうる。そのような力に抗するために、前記内部板材の両側に位置する壁用土嚢と、その上にある屋根用土嚢とを接続するための第２接続部材が存在すると構造物が安定する。第２発明の構造物構築用セットには、そのような第２接続部材が備えられていてもよい。
内部板材が略鞍状の形状である場合であって、充填物を用いる場合には、上述のように、前記内部板材の両側にある前記壁体にそれらを互いに広げようとする力が掛かる場合が有りうる。そのような力に抗するために、前記壁用土嚢で作られた室内空間の上部を覆うべく、前記壁体の上に渡される板である屋根材と、前記内部板材の両側に位置する壁用土嚢と、その上にある前記屋根材とを接続する第３接続部材が存在すると構造物が安定する。第３発明の構造物構築用セットには、そのような屋根材、及び第３接続部材が備えられていてもよい。
【００１１】
本願発明者は、第１発明の構造物構築用セットと同様の作用効果を生じる発明の一例として、以下の方法を提案する。
その方法は、その左右の縁で、隣り合うものに対して回転可能に接続された、少なくとも４枚の側壁を備えており、平面視したときに矩形である内容物充填用の内部空間を作ることができるようになっている箱型土嚢である多数の壁用土嚢を適宜配列させ、前記内部空間に内容物を充填することで、開口のある室内空間を囲む壁体を作る過程、前記壁用土嚢で作られた室内空間の上部を、前記壁体の上に渡される板である屋根材で覆う過程、その左右の縁で、隣り合うものに対して回転可能に接続された、少なくとも４枚の側壁を備えており、平面視したときに矩形である内容物充填用の内部空間を作ることができるようになっている、壁用土嚢よりも高さの低い箱型土嚢である多数の屋根用土嚢を適宜配列させ、前記内部空間に内容物を充填することで、前記屋根材の上を覆う屋根体を作る過程、を含んでいる、構造物の構築方法である。
【００１２】
本願発明者は、第２発明の構造物構築用セットと同様の作用効果を生じる発明の一例として、以下の方法を提案する。
その方法は、その左右の縁で、隣り合うものに対して回転可能に接続された、少なくとも４枚の側壁を備えており、平面視したときに矩形である内容物充填用の内部空間を作ることができるようになっている箱型土嚢である多数の壁用土嚢を適宜配列させ、前記内部空間に内容物を充填することで、開口のある室内空間を囲む壁体を作る過程、前記壁用土嚢で作られた室内空間の内部に、内部板材で天井のある空間を作る過程、その左右の縁で、隣り合うものに対して回転可能に接続された、少なくとも４枚の側壁を備えており、平面視したときに矩形である内容物充填用の内部空間を作ることができるようになっている、壁用土嚢よりも高さの低い箱型土嚢である多数の屋根用土嚢を適宜配列させ、前記内部空間に内容物を充填することで、前記壁体と、前記内部板材の上を覆う屋根体を作る過程、を含んでいる、構造物の構築方法である。
【００１３】
以下の内容は、第１発明と第２発明の双方に妥当する。また、以下に説明する箱型土嚢（以下でいう箱型土嚢には、本願の壁用土嚢と屋根用土嚢の双方が含まれ得る。）は、第１発明と第２発明に登場するすべての箱型土嚢に応用することができる。
【００１４】
第１発明と第２発明の箱型土嚢は、隣り合うものに対して回転可能に接続された、少なくとも４枚の側壁を備えており、平面視したときに矩形である内容物充填用の内部空間を作ることができるようになっており、それを適宜配列し、前記内部空間に内容物を充填することで、開口のある室内空間を囲む壁体を作ることができるようになっている。
これら箱型土嚢における側壁は、多くの場合従来技術の箱型土嚢と同様に、上下に走る複数の縦棒と、左右に走る複数の横棒とを含んで構成されている、矩形の金網である。
そしてこれら箱型土嚢は、前記側壁のうちの少なくとも一つの側壁の４つの縁のうちの少なくとも一つの縁である特定縁における縦棒又は横棒が、それが取付けられている横棒又は縦棒の両側に取付けられていてもよい。
第１発明、第２発明の箱型土嚢、特に壁体を構成する箱型土嚢は、積み重ねられる場合がある。そのような積み重ねを行った場合、箱型土嚢のうちの最下段の箱型土嚢に変形が生じるおそれがあり、或いは、上段の箱型土嚢がその下段の箱型土嚢に対して安定しないことがありうる。
そのような不具合を解消するために、第１発明と、第２発明の箱型土嚢を、前記側壁のうちの少なくとも一つの側壁の４つの縁のうちの少なくとも一つの縁である特定縁における縦棒又は横棒が、それが取付けられている横棒又は縦棒の両側に取付けられたものとすることができる。
仮に、特定縁が側壁の左右の縁である場合には、その側壁は縦方向の荷重に対して強くなる。また、特定縁を作るには、例えば、一般的な金網の左右の縁に縦棒を一本足すだけで良い。したがって、そのような箱型土嚢は、その強度が一般的な箱型土嚢に比較してかなり強くなるのに対し、その製造コストは一般的な箱型土嚢全体の製造コストに比較してそれほど高くはならないものとなる。
また、特定縁が側壁の上下の縁である場合には、その側壁は、下段の箱型土嚢に対して滑りにくくなる。従来の上段の箱型土嚢が下段の箱型土嚢に対して安定しない理由は、上段の箱型土嚢のある側壁の下側の縁と、下段の箱型土嚢のその直下にある側壁の上側の縁とが、双方の縁が横棒（通常は、縦棒も含めて、断面円形の金属棒である。）の長さ方向のある線分で線接触（或いは、双方の縁の長手方向の向きが完全に一致していない場合には、点接触）するのみであるからである。したがって、上段の箱型土嚢のある側壁の下の縁は下段のその直下にある側壁の上の縁に対して滑りやすい。これに対し、特定縁が側壁の上下の縁である場合には、上段の箱型土嚢のある側壁の下側の縁と、下段の箱型土嚢のその直下にある側壁の上側の縁との接触を、二本の線による線接触（これは面接触に程近い。）に変えられる。これにより、箱型土嚢を積み重ねた場合に、上段の箱型土嚢が安定しないということを防ぎうる。そして、側壁にこのような改良を加えるために必要なコストも、それほど大きくない。
【００１５】
特定縁は、上述のように、側壁のうちの少なくとも一つの側壁の４つの縁のうちの少なくとも一つの縁である。もちろん、特定縁は、すべての側壁に含まれてもよい。例えば、特定縁は、すべての側壁の少なくとも一つの縁であっても良い。
また特定縁は、ある側壁に２つ以上含まれていても良い。
【００１６】
例えば、前記特定縁は、前記側壁のうちの左右の縁であっても良い。この場合、箱型土嚢を積み重ねた場合に、最下段の箱型土嚢に変形が生じるおそれがより小さくなる。すべての側壁の左右の縁が特定縁である場合にこの効果はもっとも大きくなる。
【００１７】
第１発明、第２発明の構造物の構築方法において、箱型土嚢が積上げられる部分がある場合に、最下段の箱型土嚢に変形が生じるおそれを小さくするには、箱型土嚢が積上げられる部分に以下の方法を採用してもよい。
その方法は、隣り合うものに対して回転可能に接続された、上下に走る複数の縦棒と、左右に走る複数の横棒とを含んで構成されている、矩形の金網である少なくとも４枚の側壁を備えている、その上下が開口された、側壁に囲まれた空間に内容物を入れて用いられる、平面視したときの形状と大きさが同一の複数の箱型土嚢を複数段積み重ねて構造物を構築する方法である。この方法では、積上げられるもののうちの少なくとも最下段の箱型土嚢に、すべての前記側壁の左右の縁である特定縁における縦棒が、それが取付けられている横棒の両側に取付けられているものを用いる。
このとき、積上げられるもののうちの最下段の箱型土嚢以外の箱型土嚢に、いずれの側壁にも特定縁のないものを用いるようにしてもよい。特定縁を多くすればするほど、それ程大きくはないにせよ、材料、加工についてのコストが上昇するが、最下段の箱型土嚢以外の上段の土嚢に特定縁のないものを用いることにより、そのようなコスト上昇を低減できる。
【００１８】
例えば、前記特定縁は、前記側壁の上下の縁であっても良い。この場合、箱型土嚢を積み重ねた場合に、上段の箱型土嚢をより安定させ易くなる。すべての側壁の上下の縁が特定縁である場合にこの効果はもっとも大きくなる。
特定縁が側壁の上下の縁、例えば、すべての側壁の上下の縁である場合には以下のように、ピンが、本願第１、第２発明の構造物構築用セットに含まれていても良い。
この場合、構造物構築用は、積み重ねられる、平面視したときの形状と大きさが同一の、すべての側壁の上下の縁が特定縁である箱型土嚢２つ以上と、前記箱型土嚢が上下に積重ねられたときに、互いに隣接する、上側の箱型土嚢の下側の縁における横棒間の隙間と、下側の箱型土嚢の上側の縁における横棒間の隙間とをまとめて貫くピンと、を有する構造物構築用セットとなる。この構造物構築用セットであれば、ピンにより互いに隣接する、上側の箱型土嚢の下側の縁における横棒と、下側の箱型土嚢の上側の縁における横棒とをピンにより固定できるので、箱型土嚢を積み重ねた場合に、上段の箱型土嚢がより安定する。ピンは、複数であっても良い。例えば、箱型土嚢の側壁の数だけピンを準備しておけば、互いに隣接する、上側の箱型土嚢の下側の縁における横棒間と、下側の箱型土嚢の上側の縁における横棒間とをピンにより固定する、ということを、上側の箱型土嚢の下側のすべての縁について行うことができるようになるから、上段の箱型土嚢は益々安定する。また、互いに隣接する、上側の箱型土嚢の下側の縁における横棒と、下側の箱型土嚢の上側の縁における横棒とを複数のピンにより固定できるだけピンを準備しても良い。もちろん、互いに隣接する、上側の箱型土嚢の下側の縁における横棒と、下側の箱型土嚢の上側の縁における横棒とを複数のピンにより固定する、ということを、上側の箱型土嚢の下側のすべての縁について行っても良い。
前記ピンは、その上端で略Ｕ字型に折り曲げられていても良い。ピンを下が開いたＵ字状の状態で用いることとし、その一端を上側の箱型土嚢の下側の縁における横棒間の隙間と、下側の箱型土嚢の上側の縁における横棒間の隙間とをまとめて貫くのに用い、その他端を、箱型土嚢の表側に露出させておけば、ピンを持ち上げる力が働かない限り、ピンによる上段と下段の箱型土嚢の固定が解除されることはないし、その他端を持ち上げるだけで、上段と下段の箱型土嚢の固定を解除できるから、箱型土嚢を撤収するときに便利である。ピンの一端と他端の長さは異なっていても良い。例えば、ピンの一端が他端よりも長くても良い。
【００１９】
第１発明、第２発明の構造物の構築方法において、箱型土嚢が積上げられる部分がある場合に、上段の箱型土嚢を安定させるには、箱型土嚢が積上げられる部分に以下の方法を採用してもよい。
その方法は、隣り合うものに対して回転可能に接続された、上下に走る複数の縦棒と、左右に走る複数の横棒とを含んで構成されている、矩形の金網である少なくとも４枚の側壁を備えている、その上下が開口された、側壁に囲まれた空間に内容物を入れて用いられる、平面視したときの形状と大きさが同一の複数の箱型土嚢を複数段積み重ねて構造物を構築する方法である。そして、この方法では、少なくとも下から２段の箱型土嚢に、すべての前記側壁の上下の縁である特定縁における横棒が、それが取付けられている縦棒の両側に取付けられているものを用いる。
この方法は、下から２段の箱型土嚢のうちの、互いに隣接する、上側の箱型土嚢の下側の縁における横棒間の隙間と、下側の箱型土嚢の上側の縁における横棒間の隙間とをまとめてピンで貫く過程を含んでいても良い。ピンの数、形状については、構造物構築用セットについて既に述べたのと同様の思想を採用しうる。例えば、上記方法は、下から２段の箱型土嚢のうちの、すべての互いに隣接する、上側の箱型土嚢の下側の縁における横棒間の隙間と、下側の箱型土嚢の上側の縁における横棒間の隙間とをまとめてピンで貫く過程を含んでいても良い。
【００２０】
また、本願発明者は、隣り合うものに対して回転可能に接続された、上下に走る複数の縦棒と、左右に走る複数の横棒とを含んで構成されている、矩形の金網である少なくとも４枚の側壁を備えている、その上下が開口された、側壁に囲まれた空間に内容物を入れて用いられる、平面視したときの形状と大きさが同一の複数の箱型土嚢を撤去する方法をも提案する。そして、この方法では、前記箱型土嚢として、すべての前記側壁の上下の縁である特定縁における横棒が、それが取付けられている縦棒の両側に取付けられているものを用いるとともに、前記側壁に囲まれた空間に内容物が入れられた前記箱型土嚢を撤去する際に、その上側のすべての前記特定縁を複数の吊り下げ具で吊るして箱型土嚢を撤去する。
箱型土嚢を撤去する際に、箱型土嚢を所定の吊り下げ具（例えば、クレーンのワイヤの先に取付けられた撤収器具に多数取付けられた吊り下げ具）で吊り上げるという方法が用いられている。箱型土嚢をこのように撤去すると、箱型土嚢に底がないことから、箱型土嚢に入れられていた内容物がそこに残り、箱型土嚢だけを素早く撤去できる。しかし従来このような方法で箱型土嚢を撤去すると、箱型土嚢の特に上側の縁に存在する横棒に破損が生じることがあった。吊り下げのときに吊り下げ具に係止される上側の縁が特定縁になっていれば、箱型土嚢の上側の縁の横棒の破損を防止できるため、速い撤去が可能な吊り下げ具による吊り下げの方法を採っても、箱型土嚢の繰り返しの利用が妨げられる可能性が小さい。
【００２１】
第１発明、第２発明に応用できる、その側壁のうちの少なくとも一つの側壁に少なくとも一つの特定縁を有する以上の箱型土嚢は、その特定縁が、ある側壁のうちの上下左右の４つの縁であっても良い。この場合、特定縁は、すべての側壁のうちの４つの縁であっても良い。
【図面の簡単な説明】
【００２２】
【図１】本願の第１実施形態の構造物構築用セットに含まれる壁用土嚢の構成を示す斜視図。
【図２】本願の第１実施形態における他の壁用土嚢の構成を示す平面図。
【図３】図１に示した壁用土嚢に含まれる側壁の構成を示す（Ａ）側面図、と（Ｂ）平面図。
【図４】第１実施形態による構造物構築用セットを用いて構造物を構築する方法を説明するための斜視図。
【図５】第１実施形態による構造物構築用セットを用いて構造物を構築する方法を説明するための斜視図。
【図６】第１実施形態による構造物構築用セットを用いて構造物を構築する方法を説明するための斜視図。
【図７】第１実施形態による構造物構築用セットを用いて構造物を構築する方法を説明するための斜視図。
【図８】第１実施形態による構造物構築用セットを用いて構造物を構築する方法を説明するための斜視図。
【図９】第１実施形態による構造物構築用セットを用いて構造物を構築する方法を説明するための斜視図。
【図１０】第１実施形態による構造物構築用セットを用いて構造物を構築する方法を説明するための斜視図。
【図１１】変形例１による構造物構築用セットを用いて構造物を構築する方法を説明するための（Ａ）平面図と、（Ｂ）側断面図。
【図１２】変形例２による構造物構築用セットを用いて構造物を構築する方法を説明するための正面図。
【図１３】変形例３による構造物構築用セットを用いて構造物を構築する方法を説明するための正面図。
【図１４】変形例４による構造物構築用セットを用いて構造物を構築する方法を説明するための正面図。
【図１５】第２実施形態による構造物構築用セットを用いて構造物を構築する方法を説明するための正面図。
【図１６】変形例５による構造物構築用セットを用いて構造物を構築する方法を説明するための正面図。
【図１７】変形例６による構造物構築用セットを用いて構造物を構築する方法を説明するための正面図。
【図１８】第３実施形態の壁用土嚢の構造を説明するための側壁の側面図。
【図１９】第３実施形態の壁用土嚢の構造を説明するための側壁の平面図。
【図２０】第３実施形態の壁用土嚢の構造を説明するための側壁の斜視図。
【図２１】第３実施形態の壁用土嚢が積上げられたときに、壁用土嚢とその上段の壁用土嚢とをピンを用いて固定した状態を示す側面図。
【図２２】第３実施形態の壁用土嚢を積み上げて作られた構築物を撤収するのに用いられる撤収器具を示す斜視図。
【発明を実施するための形態】
【００２３】
以下、本発明の好ましい第１から第２実施形態を説明する。
各実施形態の説明において、共通する対象には共通の符号を付すものとし、重複する説明は場合により省略するものとする。
【００２４】
≪第1実施形態≫
第１実施形態では、構造物構築用セットを用いて構造物を構築する方法について説明する。
この構造物構築用セットには、壁用土嚢１００、屋根材２００、屋根用土嚢３００が含まれる。この実施形態では、屋根材２００は１つであり、壁用土嚢１００と、屋根用土嚢３００は多数含まれている。
【００２５】
まず、壁用土嚢１００の構成から説明する。
壁用土嚢１００を図１に示す。なお、図１では後述する縦棒と横棒の表示を一部省略している。
壁用土嚢１００は、４つ以上の側壁１１０を有している。側壁１１０は隣り合う縁部同士を接続して、少なくとも矩形を作れるような形状、大きさとなっている。壁用土嚢１００の上方と下方はともに開放されている。壁用土嚢１００の使用時には、側壁１１０に囲まれた空間である内部空間に、内容物が詰められる。内容物は、例えば、土砂、轢、岩、或いはこれらの混合物、又はこれらを袋に詰めたものである。
これには限られないが、この実施形態の壁用土嚢１００は、４つの側壁１１０を有している。したがって壁用土嚢１００は平面視で四角形とすることができる。
各側壁１１０は矩形である。各側壁１１０は、隣接する側壁１１０とその左右の縁で接続されている。この接続は、各側壁１１０が隣り合う側壁の左右の縁に対して回転を行えるようなものとされる。これは、壁用土嚢１００をパンタグラフのように変形させられるようにするためである。それにより、壁用土嚢１００の収納性、可搬性が高まる。上述のような回転を可能とするために、隣接する側壁１１０は、コイル１２０を用いて接続されている。コイル１２０による側壁１１０同士の接続方法については、後述する。
【００２６】
なお、壁用土嚢１００は必ずしもその側壁が４枚である必要はない。また、それが平面視で矩形の形状を取ることができるのであれば、矩形以外の形状を取ることができても構わない。
例えば、図２に示した壁用土嚢１００がそれである。この壁用土嚢１００は６枚の側壁１１０を有している。
壁用土嚢１００の側壁１１０の左右の縁は上述の場合と同様に、互いに隣接する側壁１１０に対して回転できるように接続されている。
また、この側壁１１０は、その高さは上述の場合と同様にすべて同一であるものの、側壁１１０Ａの横幅が、側壁１１０Ｂの横幅の２倍となっている。
その結果、この壁用土嚢１００は、図２に示したように、平面視６角形とすることもできるし（図２（Ａ））、平面視、正方形とすることもできるし（同（Ｂ））、同（Ｃ）に示したようにして、折り畳むことも可能である。このように、他の多角形形状を取りうるものであっても、平面視で矩形（正方形）の形状を取りうるのであれば、本願の壁用土嚢１００としての条件を充足する。
【００２７】
側壁１１０の構成について説明する。
各側壁１１０は、上述したように矩形である。各側壁１１０の横幅は、同じでない場合もあるが、すべての側壁１１０の高さは一致している。もっともこの実施形態における壁用土嚢１００のすべての側壁の横幅は同一である。したがって、壁用土嚢１００の使用時における平面視した場合の形状は、少なくとも菱型であり、また正方形にすることができる。なお、この実施形態では、必ずしもこの限りではないが、すべての側壁１１０の横幅と高さは同じとされている。つまり、この実施形態の側壁１１０は正方形である。なお、この限りではないが、側壁１１０の縦、横の長さはともに、１ｍ〜数ｍくらいであることが多い。
【００２８】
側壁１１０は金網でできている。側壁１１０は縦方向に伸びる縦棒１１１と、横方向に伸びる横棒１１２とを備えている。同じ側壁１１０に属する多数の縦棒１１１はすべて同じ長さで互いに平行であり、多数の横棒１１２も同様である。
縦棒１１１と横棒１１２はともに金属製の棒であり、これには限られないが、ステンレス製の丸棒である。縦棒１１１と横棒１１２は、これには限られないが、縦棒１１１の外側に横棒１１２が位置するようにして、その交点で固定されている。縦棒１１１と横棒１１２のかかる固定は、例えば、溶接により行われている。縦棒１１１と横棒１１２の関係を図３（Ａ）の側面図と、同（Ｂ）の平面図とに示す。
交差する縦棒１１１と横棒１１２は、隣接する縦棒１１１に挟まれ、且つ隣接する横棒１１２に挟まれた、矩形の目を作る。この目の大きさは必ずしも同じである必要はないが、この実施形態ではすべて同じとなっている。
【００２９】
各側壁１１０は、上述のように、その左右縁を、隣接する側壁１１０と、各側壁１１０が隣り合う側壁の左右の縁に対して回転を行えるようにして接続されている。その接続は、公知、或いは周知の方法で行えば良く、この実施形態では、例えば、コイル１２０を用いて行われている。
コイル１２０は、隣接する側壁１１０の目を縫うように通されており、それにより互いに隣接する側壁１００の互いに隣接する縦方向の縁を固定している。コイル１２０は、例えば、２つの側壁１１０の隣接する縁に対して、上方から、回転させながら隣接する側壁１１０の目を縫うようにして下方へ送ることにより、上述の如く２つの側壁１１０の隣接する縁を固定する状態にされる。コイル１２０は、それにより固定される側壁１１０の一番端に縦方向に並ぶ目のすべてを貫いている必要は必ずしもない。
なお、コイルに代え、隣接する側壁１１０を公知のヒンジにより接続することにより、隣接する側壁１１０が互いに隣接する側壁１１０に対して回転できるようにすることも可能である。
【００３０】
なお、壁用土嚢１００には、異なる大きさのものが含まれていても構わない。
また、壁用土嚢１００は、後述するように、その内部空間に内容物が充填されるが、それに先立ち、壁用土嚢１００の内部空間に、内部空間の内側を略覆う大きさ形状とされた袋が配置され、その後内容物が袋の中に充填される場合がある。そのように袋が存在する場合においても、壁用土嚢１００自体は上下が開放されているので、「上下が開放されている」という本願における要件は充足されるものとする。
以上２点は、屋根用土嚢３００についても同様である。
【００３１】
次に、屋根用土嚢３００の構成について説明する。
屋根用土嚢３００の構成は基本的に壁用土嚢１００と変わらない。屋根用土嚢３００も平面視した場合に矩形とすることができるが、この実施形態では、平面視した場合に壁用土嚢１００と同じ大きさ、形状の矩形とすることができるようになっている。
屋根用土嚢３００が壁用土嚢１００と異なるのはその高さである。屋根用土嚢３００は、その高さが壁用土嚢１００よりも低くなっている。これには限られないが、この実施形態における屋根用土嚢３００の高さは、壁用土嚢１００の高さの半分程度となっている。
【００３２】
次に屋根材２００の構成について説明する。屋根材２００は、金属製の板である。屋根材２００は例えば、鉄製である。屋根材２００の上には、後述するように屋根用土嚢３００が乗せられる。屋根材２００はそれに耐えられる程度の強度が与えられている。
【００３３】
以上の構造物構築用セットを用いて構造物を構築する方法は以下のとおりである。
【００３４】
まず、適宜の配置で１段目の壁用土嚢１００を地盤の上に配列する（図４）。
壁用土嚢１００は平面視で矩形とされるので、配列された壁用土嚢１００の間に無駄に隙間が空くことはない。もちろん、壁用土嚢１００の配置は、最終的に得られる構造物に即したものとする。壁用土嚢１００は、最終的に得られる構造物が後述する開口を得られるようなものにする。なお、この実施形態では、壁用土嚢１００には、その大半を占める上述した構成の壁用土嚢１００と、図４の奥の方に配置された、平面視でその１／４の大きさの壁用土嚢１００Ｘとが含まれている。
次いで、壁用土嚢１００、１００Ｘ（以下、これらをまとめて、壁用土嚢１００と称する。）に内容物を充填する（図５）。
【００３５】
次いで、２段目の壁用土嚢１００を１段目の壁用土嚢１００の上に積上げる（図６）。２段目の壁用土嚢１００は必ずしも１段目の壁用土嚢１００の配置に完全に一致している必要はないが、この実施形態ではそうしている。
次いで、２段目の壁用土嚢１００の内部空間に内容物を充填する（図７）。
なお、この実施形態では、壁用土嚢１００は２段積上げられるものとなっているが、１段だけで後述する屋根材２００の載置の作業に入っても良いし、必要に応じて３段以上壁用土嚢１００を積上げても構わない。
内容物で充填された壁用土嚢１００の集合体が本願でいう壁体である。
【００３６】
次いで、２段目の壁用土嚢１００の上に屋根材２００を載置する（図８）。屋根材２００の形状、大きさは、最終的に得られる構造物に即したものであり、基本的には、２段目の壁用土嚢１００のすべてと、壁用土嚢１００に囲まれた空間とを丁度覆うような形状、大きさのものとする。
【００３７】
次いで、屋根材２００の上に屋根用土嚢３００を配置する（図９）。
屋根用土嚢３００は、平面視で矩形とされるので、配列された屋根用土嚢３００の間に無駄に隙間が空くことはない。屋根用土嚢３００は、必ずしもこの限りではないが、基本的に、屋根材２００の上面のすべてを覆うようなものとする。この実施形態ではそうしている。
次いで、屋根用土嚢３００の内部空間に内容物を充填する（図１０）。
【００３８】
以上のようにして、構造物が完成する。
図１０に示された構造物の前面には穴が開いている。これが本願でいう開口である。また、その開口の奥の空間が、本願でいう室内空間である。
構造物の室内空間は、人が利用する場合があり、或いは車両や、武器その他の資材が搬入される場合がある。開口は、その場合の出入り口とされる。なお、開口は、複数あっても構わない。
【００３９】
＜変形例１＞
変形例１の構造物構築用セットについて説明する。
変形例１の構造物構築用セットは基本的には第１実施形態の場合と同様であり、壁用土嚢１００、屋根材２００、屋根用土嚢３００を含んで構成されている。それに加えて変形例１の構造物構築用セットは、杭を備えている。杭は少なくとも１本であるが複数本の場合もある。
次に、この構造物構築用セットを用いて構造物を構築する方法について説明する。
第１実施形態において説明した、２段目の壁用土嚢１００の内部空間に内容物を充填する（図７）までは、変形例１でも変わらない。変形例１の構造物の構築方法では、この後杭５１０を打ち込む（図１１（Ａ））。杭５１０は、上下に積まれた壁用土嚢１００を縦に貫き、そしてその先端が地盤Ｘに打ち込まれるようにして、壁用土嚢１００と地盤Ｘに打ち込まれる（図１１（Ｂ））。杭５１０の上端は、２段目の壁用土嚢１００の上面（或いはそれに詰められた内容物）と面一になるようにする。
なお、この実施形態では、壁用土嚢１００のうち、小さめの壁用土嚢１００Ｘを除いたすべての壁用土嚢１００に対して杭５１０が打ち込まれるものとしているが、小さな壁用土嚢１００Ｘに対して杭が打ち込まれても構わないし、また大きめの壁用土嚢１００のすべてに杭５１０が打ち込まれる必要も必ずしもない。
その後、２段目の壁用土嚢１００の上に、屋根材２００が載置され、その上に屋根用土嚢３００が載置され、屋根用土嚢３００の内部空間に内容物が充填されるのは第１実施形態の場合と同様である。
【００４０】
なお、変形例１では、２段目の壁用土嚢１００に内容物が充填された後に杭５１０が打ち込まれるものとしたが、例えば１段目の壁用土嚢１００が配置された後に地盤に杭５１０を打ち込み、その後１段目の壁用土嚢１００の内部空間に内容物を充填し、その後２段目の壁用土嚢１００を１段目の壁用土嚢１００の上に積み、更にその後２段目の壁用土嚢１００の内部空間に内容物を充填するようにしても良い。
最終的に、杭５１０が、上下に積まれた壁用土嚢１００を縦に貫き、その先端が地盤Ｘに打ち込まれるようになれば、細かな手順の先後は問わない。
【００４１】
＜変形例２＞
変形例２の構造物構築用セットについて説明する。
変形例２の構造物構築用セットは基本的には第１実施形態の場合と同様であり、壁用土嚢１００、屋根材２００、屋根用土嚢３００を含んで構成されている。それに加えて変形例２の構造物構築用セットは、構造物の内部空間内を天井のある空間とするための板材である内部板材を備えている。内部板材は、この実施形態では、直方体形状のコンテナである。そして、コンテナは、壁用土嚢１００によって作られる壁体１００の開口に対応する開口を有している。
次に、この構造物構築用セットを用いて構造物を構築する方法について説明する。
第１実施形態において説明した、２段目の壁用土嚢１００の内部空間に内容物を充填する（図７）までは、変形例２でも変わらない。変形例２の構造物の構築方法では、この後壁用土嚢１００の集合体である壁体に囲まれた室内空間にコンテナ６１０を配置する（図１２（Ａ））。コンテナ６１０は、上述したように直方体形状であり、壁体に囲まれた後に室内空間となる空間に略対応した形状、大きさとなっている。コンテナ６１０の前面には開口があり（後面にも開口があっても良い。）、コンテナ６１０の開口は、壁体の隙間（後に構造物の開口となる部分）に対応させられる。
その後、２段目の壁用土嚢１００の上に、屋根材２００が載置され（同（Ｂ））、その上に屋根用土嚢３００が載置され、屋根用土嚢３００の内部空間に内容物が充填される（同（Ｃ））のは第１実施形態の場合と同様である。
【００４２】
なお、変形例２では、屋根材２００の壁体の上への載置の前にコンテナ６１０の配置がなされたが、コンテナ６１０は例えば、１段目の壁用土嚢１００の配置の前に、或いは、第１実施形態で説明した構造物の完成後に配置されても構わない。
図１２（Ｃ）に示したような構造物が得られるのであれば、コンテナ６１０の配置の時期は適当に変更できる。
【００４３】
＜変形例３＞
変形例３の構造物構築用セットについて説明する。
変形例３の構造物構築用セットは基本的には第１実施形態の場合と同様であり、壁用土嚢１００、屋根材２００、屋根用土嚢３００を含んで構成されている。それに加えて変形例３の構造物構築用セットは、構造物の内部空間内を天井のある空間とするための板材である内部板材を備えている。内部板材は、この実施形態では、その前面（或いは、前後面）が開放された鞍状の形状の空間を作る板であり、より詳細には、公知のライナープレートである。
次に、この構造物構築用セットを用いて構造物を構築する方法について説明する。
第１実施形態において説明した、２段目の壁用土嚢１００の内部空間に内容物を充填する（図７）までは、変形例３でも変わらない。変形例３の構造物の構築方法では、この後壁用土嚢１００の集合体である壁体に囲まれた室内空間に内部板材６２０を配置する。鞍状の空間を作る内部板材６２０は、少なくともその前面に開口を有する。その開口は、壁体の隙間（後に構造物の開口となる部分）に対応させられる。また、壁体に囲まれた室内空間のうち、内部板材６２０の上方の空間に、当該空間を埋める充填物６３０を充填する（図１３（Ａ））。充填物６３０は、壁用土嚢１００、屋根用土嚢３００に詰められる内容物と同じで良い。
その後、２段目の壁用土嚢１００の上に、屋根材２００が載置される（同（Ｂ））。この実施形態の屋根材２００は、その上下面に、屋根材２００を上下に貫く接続棒体５２０を備えている。もっとも、接続棒体５２０は、屋根材２００の上下で別部材になっていても良いし、屋根材２００の上の部分は、場合によっては存在しなくても良い。また、接続棒体５２０の例えば先端には抜け止め用の突起等が設けられていても良い。また、接続棒体５２０は、図１３の前後方向に複数あっても良い。
次いで、屋根材２００の上に、屋根用土嚢３００が載置され、屋根用土嚢３００の内部空間に内容物が充填される（同（Ｃ））。
こうして構造物が完成する。
【００４４】
内部板材６２０は上述したように鞍状である。したがって、その上に載った充填物６３０は、内部板材６２０の両側（図１３における左右側）に滑り落ちようとする。したがって、壁体のうち図１３における左右に位置する部分は、充填物６３０から外側に向けて力を受けて不安定になり易い。しかしながら、壁体の左右に位置する部分は、接続棒体５２０によって、少なくとも屋根材２００と接続されており、或いは屋根材２００及びその上の屋根用土嚢３００と接続されているので、不安定になりにくい。
【００４５】
＜変形例４＞
変形例４の構造物構築用セットについて説明する。
変形例４の構造物構築用セットは基本的には第１実施形態の場合と同様であり、壁用土嚢１００、屋根材２００、屋根用土嚢３００を含んで構成されている。それに加えて変形例４の構造物構築用セットは、構造物の内部空間内を天井のある空間とするための板材である内部板材と、後に詳述する接続骨材を備えている。内部板材は、変形例３のものと同様である。
次に、この構造物構築用セットを用いて構造物を構築する方法について説明する。
第１実施形態において説明した、２段目の壁用土嚢１００の内部空間に内容物を充填する（図７）までは、変形例４でも変わらない。変形例４の構造物の構築方法では、この後壁用土嚢１００の集合体である壁体に囲まれた室内空間に内部板材６２０を配置する。また、左右の壁体を、例えば線状体であり、或いは棒状体である接続骨材５３０で結ぶ。接続骨材５３０は、複数であっても構わない。そして、接続骨材５３０で左右の壁体を接続したら、壁体に囲まれた室内空間のうち、内部板材６２０の上方の空間に、当該空間を埋める充填物６３０を充填する（図１４（Ａ））。
その後、２段目の壁用土嚢１００の上に、屋根材２００が載置され（同（Ｂ））、屋根材２００の上に、屋根用土嚢３００が載置され、屋根用土嚢３００の内部空間に内容物が充填される（同（Ｃ））。
こうして構造物が完成する。
【００４６】
この構造物でも、壁体のうち図１４における左右に位置する部分は、充填物６３０から外側に向けて力を受けて不安定になり易い。しかしながら、壁体の左右に位置する部分は、接続骨材５３０によって互いに接続されているので、不安定になりにくい。
【００４７】
≪第２実施形態≫
第２実施形態の構造物構築用セットについて説明する。
第２実施形態の構造物構築用セットが第１実施形態と異なり、屋根材２００を含まない点で第１実施形態のそれと異なる。第２実施形態の構造物構築用セットは、壁用土嚢１００と、屋根用土嚢３００とを含んで構成されている。これらは第１実施形態のものと変わらないものとすることができ、第２実施形態ではそうされている。
また、第２実施形態の構造物構築用セットには、第１実施形態の変形例２で説明したのと同様のコンテナ６１０が含まれている。
【００４８】
次に、第２実施形態の構造物構築用セットを用いて構造物を構築する方法について説明する。
第１実施形態において説明した、２段目の壁用土嚢１００の内部空間に内容物を充填する（図７）までは、第２実施形態でも変わらない。第２実施形態の構造物の構築方法では、この後壁用土嚢１００の集合体である壁体に囲まれた室内空間にコンテナ６１０を配置する（図１５（Ａ））。コンテナ６１０は、壁体に囲まれた後に室内空間となる空間に略対応した形状、大きさとなっている。コンテナ６１０の前面には開口があり（後面にも開口があっても良い。）、コンテナ６１０の開口は、壁体の隙間（後に構造物の開口となる部分）に対応させられる。
その後、２段目の壁用土嚢１００と、コンテナ６１０の上に屋根用土嚢３００が載置され（同（Ｂ））、屋根用土嚢３００の内部空間に内容物が充填される（同（Ｃ））のは第１実施形態の場合と同様である。
【００４９】
なお、第２実施形態におけるコンテナ６１０の配置は、屋根用土嚢３００をその上面に乗せる前の適宜なタイミングで行えば良い。
【００５０】
なお、第２実施形態におけるコンテナ６１０は、屋根材２００が存在しないことにより、後に室内空間となる壁体で囲まれた空間の上面にそのままでは配置することのできなくなった屋根用土嚢３００をその上面に載置することがその大きな役割の一つである。その観点からすると、箱状のコンテナ６１０を後に室内空間となる空間に置くことは必ずしも必要なく、コンテナ６１０の上面に相当する面を持つ板を、コンテナ６１０の代わりに配することが必要である、ということになる。
【００５１】
第２実施形態における構造物構築用セットは、変形例１で説明した杭５１０を備えていても良い。杭５１０の使用方法は、変形例１で説明したのと同様である。
【００５２】
＜変形例５＞
変形例５の構造物構築用セットは、第２実施形態の構造物構築用セットとかなりの部分で同一である。変形例５の構造物構築用セットが第２実施形態の構造物構築用セットと異なるのは、変形例５の構造物構築用セットは、第２実施形態の構造物構築用セットが備えていたコンテナ６１０を持たず、その代わりに、変形例３で説明したのと同様の内部板材６２０を備えている。また、変形例５の構造物構築用セットは、後述する接続棒５４０を備えている。接続棒５４０は、変形例３で説明した接続棒体５２０と略同じように構成されているが、その長さは後述するように、接続棒５４０の両端が壁用土嚢１００とその上の屋根用土嚢３００とを接続できるに十分な長さとされる。
【００５３】
次に、変形例５の構造物構築用セットを用いて構造物を構築する方法について説明する。
第１実施形態において説明した、２段目の壁用土嚢１００の内部空間に内容物を充填する（図７）までは、変形例５でも変わらない。変形例５の構造物の構築方法では、この後壁用土嚢１００の集合体である壁体に囲まれた室内空間に変形例３の場合と同様にして、内部板材６２０を配置し、内部板材６２０の上方の空間に、充填物６３０を充填する（図１６（Ａ））。
次いで、２段目の壁用土嚢１００と、充填物６３２０の上に屋根用土嚢３００が載置されるとともに、壁体のうちの図１６における左右の部分を構成する壁用土嚢１００の上面に接続棒５４０を打ち込む（同（Ｂ））。次いで、屋根用土嚢３００の内部空間に内容物が充填される（同（Ｃ））。
こうして、変形例５の構造物構築用セットを用いた構造物が完成する。
【００５４】
なお、変形例５における接続棒５４０の打ち込みは、２段目の壁用土嚢１００に内容物が充填された後の適当なタイミングで行えば良い。
また、変形例５の場合には、屋根用土嚢３００は相互に接続されているのが望ましい。それにより、屋根用土嚢３００と接続された左右の壁体の安定性が増す。
【００５５】
＜変形例６＞
変形例６の構造物構築用セットは、変形例５の構造物構築用セットとかなりの部分で同一である。変形例６の構造物構築用セットが変形例５の構造物構築用セットと異なるのは、変形例６の構造物構築用セットは、変形例５の構造物構築用セットが備えていた接続棒５４０を持たず、その代わりに、変形例４で説明したのと同様の接続骨材５３０を備えている。
【００５６】
次に、変形例６の構造物構築用セットを用いて構造物を構築する方法について説明する。
第１実施形態において説明した、２段目の壁用土嚢１００の内部空間に内容物を充填する（図７）までは、変形例６でも変わらない。変形例６の構造物の構築方法では、この後壁用土嚢１００の集合体である壁体に囲まれた室内空間に変形例４の場合と同様にして、内部板材６２０を配置し、また、図１６における左右に位置する壁体を構成する壁用土嚢１００同士を、変形例４の場合と同様にして接続骨材５３０で接続し、その後内部板材６２０の上方の空間に、充填物６３０を充填する（図１７（Ａ））。
次いで、２段目の壁用土嚢１００と、充填物６３０の上に屋根用土嚢３００が載置される（同（Ｂ））。次いで、屋根用土嚢３００の内部空間に内容物が充填される（同（Ｃ））。
こうして、変形例６の構造物構築用セットを用いた構造物が完成する。
【００５７】
≪第３実施形態≫
第３実施形態では、第１、第２実施形態及びそれら各変形例で用いることができる、壁用土嚢１００、及びその応用について説明する。
【００５８】
上述したように第１、第２実施形態で用いられる壁用土嚢１００は、少なくとも４つの側壁１１０を備えている。そして、各側壁１１０は、金網でできている。側壁１１０は縦方向に伸びる縦棒１１１と、横方向に伸びる横棒１１２とを備えている。同じ側壁１１０に属する多数の縦棒１１１はすべて同じ長さで互いに平行であり、多数の横棒１１２も同様である。
【００５９】
第１、第２実施形態における縦棒１１１と横棒１１２の関係は上述のようなものであったが、側壁１１０の縁部において例外がある。
例えば、側壁１１０の左右の縁においては、それが取付けられている横棒１１２の両側に縦棒１１１が取付けられている場合がある。その状態を、図１８の側面図に示す。
また、側壁１１０上下の縁においては、それが取付けられている縦棒１１１の両側に横棒１１２が取付けられている場合がある。その状態を、図５の平面図に示す。
上述のように、側壁１１０の縁においては、側壁１１０の左右の縁における縦棒１１１又は側壁１１０の上下の縁における横棒１１２が、それが取付けられている横棒１１２又は縦棒１１１の両側に取付けられている場合がある。このように、側壁１１０の縁において、縦棒１１１の両側に横棒１１２が、又は横棒１１２の両側に縦棒１１１が設けられている縁が、本願でいう特定縁である。
第３実施形態における壁用土嚢１００は、それが備える少なくとも４の側壁１１０のうちの少なくとも一つの側壁１１０において、当該側壁１１０の４つの縁のうちの少なくとも一つが特定縁になっている。
【００６０】
特定縁は、側壁１１０のうちの少なくとも一つの側壁１１１の４つの縁のうちの少なくとも一つの縁である。つまり、この実施形態の箱型土嚢１００は、４つの側壁１１０を有しているが、特定縁を有する側壁１１０は少なくともその中の一つはある。例えば、４つの側壁１００のうちの対向する２つ、或いは４つの側壁１１０のすべてが特定縁を有しているものとすることができる。また、特定縁を有する側壁１１０は、その４つの縁の少なくとも一つが特定縁であれば良い。例えば、特定縁を有する側壁１１０は、対向する２つの縁、例えばその上下の縁、或いは左右の縁が特定縁であっても良いし、４つの縁のすべてが特定縁であっても良い。
【００６１】
第１、第２実施形態では、壁用土嚢１００が上下に積上げられることがあった。壁用土嚢１００のうち積上げられる部分に使用されるものには、特定縁を有する側壁１１０を持った、上述の如き第３実施形態の壁用土嚢１００を用いるのが良い。
【００６２】
第１、第２実施形態で、積上げられる部分で使用される壁用土嚢１００は、例えば、それに含まれる少なくとも一つの側壁１１０の少なくとも一つの縦方向の縁の一つが特定縁となっているものとすることができる。この場合、１段目の壁用土嚢１００として、すべての側壁１１０の左右の縁の双方が特定縁となっている壁用土嚢１００を用いることができる。１段目の壁用土嚢１００は、すべての側壁１１０の左右の縁の双方が特定縁となっていれば、それ以外の縁が特定縁となっていても構わない。
壁用土嚢１００を複数段積重ねて構造物を作ると、その１段目の壁用土嚢１００には縦方向に大きな圧縮力がかかる。１段目の壁用土嚢１００を、そのすべての側壁１１０の左右の縁の双方が特定縁となっているものとすれば、１段目の壁用土嚢１００は、その側壁が歪んだり破損したりする可能性が小さくなる。
なお、２段目より上の壁用土嚢１００にも、１段目と同様の壁用土嚢を用いることもできるが、２段目より上の壁用土嚢１００はコスト低減の観点から、そのすべての縁が特定縁でないものを用いることも可能である。
【００６３】
第１、第２実施形態で、積上げられる部分で使用される壁用土嚢１００は、例えば、それに含まれる少なくとも一つの側壁１１０の少なくとも一つの横方向の縁の一つが特定縁となっているものとすることができる。第１、第２実施形態では壁用土嚢１００が２段積上げられるようになっていたが、例えば、１段目と２段目の壁用土嚢１００として、すべての側壁１１０の上下の縁の双方が特定縁となっている壁用土嚢１００を用いるようにすることが可能である。この場合、１段目と２段目の壁用土嚢１００は、すべての側壁１１０の上下の縁の双方が特定縁となっていれば、それ以外の縁が特定縁となっていても構わない。
１段目の壁用土嚢１００のある側壁１１０上部の拡大図を図１９に示す。側壁１１０の上端は、縦棒１１１の両側にある横棒１１２の上面と、縦棒１１１の上面により、ある意味面状になっている。この面状になっている１段目の壁用土嚢１００の側壁１１０の上に、図１９の天地を逆転した状態の２段目の壁用土嚢１００の側壁１１０の下端が当接する。そうなることで、１段目の壁用土嚢１００の上に乗った２段目の壁用土嚢１００は安定する。
なお、壁用土嚢１００を３段以上積上げる場合には、３段目より上の壁用土嚢１００に、すべての側壁１１０の上下の縁の双方が特定縁となっている壁用土嚢１００を用いることも可能であるが、そうでない壁用土嚢１００を用いてもよい。
なお、図１９に示したように、１段目の壁用土嚢１００の側壁１１０の上端では、横棒１１２間に隙間１１３がある。同様に、その上に積まれる２段目の壁用土嚢１００の側壁１１０の下端では、横棒１１２間に隙間１１３がある。その両方の隙間を貫くようにして、図２０に示したようなピン１３０を差し込むことができる。ピン１３０は、その上端がＵ字型に曲がっており、その両端の長さが異なるものとなっている。ピン１３０の長い側を、１段目と２段目の壁用土嚢１００の隙間１１３を貫くようにするとともに、ピン１３０の短い側を、壁用土嚢１００の外側に位置させる。そうすることで、ピン１３０は自然には抜けなくなるが、ピン１３０の短い側を持って上側に引き抜くことで、容易に抜けるようになる。
ピン１３０は、縦棒１１１と縦棒１１１の間に配置される。ピン１３０は、隣接する縦棒１１１の間の隙間１１３のすべてに配置されても構わないし、そのような隙間１１３の幾つかに配置されても構わない。また、ピン１３０はすべての側壁１１０に用いられても構わないし、そうでなくても構わない。
第１、第２実施形態の構造物構築用セットに、ピン１３０も併せて含ませておくことも可能である。
【００６４】
第１、第２実施形態で、積上げられる部分で使用される壁用土嚢１００は、上述のように、それに含まれる少なくとも一つの側壁１１０の少なくとも一つの横方向の縁の一つが特定縁となっているものとすることができる。構造物のうち、そのような壁用土嚢１００を用いて構築された部分は、以下の方法で撤収することができる。
構造物の上述の如き壁用土嚢１００で作られた部分の撤収には、図２１に示したような撤収器具９００を用いる。
撤収器具９００は、矩形、この実施形態では正方形のフレーム９１０を有している。フレーム９１０の下面には、ワイヤ等の線状体９２０にて多数の吊り下げ具９３０が吊られている。吊り下げ具９３０はこの実施形態ではフックであるが、この限りではない。
撤収器具９００を用いて構造物を撤収するには、第１、第２実施形態の場合であれば、その壁体を撤収する場合には、まず、撤収器具９００をクレーンの線状体の下端に固定して、吊り上げる。そして、撤収器具９００を最上段の壁用土嚢１００の上に位置させ、撤収器具９００の下の吊り下げ具９３０を、壁用土嚢１００の各側壁１１０の一番上の段の目に係止する。そして、クレーンでそのまま撤収器具９００ごと最上段の壁用土嚢１００を吊り上げる。そうすると、最上段の壁用土嚢１００は、それに充填されていた内容物を残して吊り上げられる。
次に、上から２段目の壁用土嚢１００に対して同じことをし、それを最下段の壁用土嚢１００まで繰り返す。
そうすることで壁用土嚢１００は素早く撤去できる。
なお、この吊り下げによる構造物の撤去を行うのであれば、吊り下げられる壁用土嚢１００のすべてについて、吊り下げによる負荷がかかる壁用土嚢１００の各側壁１００の一番上の横棒１１２が縦棒１１１の両側に存在するようにしておく（つまり、壁用土嚢１００の各側壁１１０の一番上の縁を特定縁としておく）のが好ましい。そうすることにより、壁用土嚢１００の各側壁１１０の破損を防ぎやすくなる。
【符号の説明】
【００６５】
１００  壁用土嚢
１１１  縦棒
１１２  横棒
２００  屋根材
３００  屋根用土嚢
５１０  杭
５２０  接続棒体
５３０  接続骨材
５４０  接続棒
６１０  コンテナ
６２０  内部板材
【図１】
2018031257.tif 000003
【図２】
2018031257.tif 000004
【図３】
2018031257.tif 000005
【図４】
2018031257.tif 000006
【図５】
2018031257.tif 000007
【図６】
2018031257.tif 000008
【図７】
2018031257.tif 000009
【図８】
2018031257.tif 000010
【図９】
2018031257.tif 000011
【図１０】
2018031257.tif 000012
【図１１】
2018031257.tif 000013
【図１２】
2018031257.tif 000014
【図１３】
2018031257.tif 000015
【図１４】
2018031257.tif 000016
【図１５】
2018031257.tif 000017
【図１６】
2018031257.tif 000018
【図１７】
2018031257.tif 000019
【図１８】
2018031257.tif 000020
【図１９】
2018031257.tif 000021
【図２０】
2018031257.tif 000022
【図２１】
2018031257.tif 000023
【図２２】
2018031257.tif 000024